(57)【要約】【課題】脱臭フィルタの加熱臭が筐体の外部へ放出されることを抑える。【解決手段】筒状の脱臭フィルタと、脱臭フィルタの内周側に配置され、脱臭フィルタを通過する気流を発生する遠心ファンと、底面部と側面部と上面部とを有すると共に、側面部と上面部のうち少なくとも一方に開口を有し、底面部と側面部と上面部とで囲まれた空間内に脱臭フィルタを収容する筐体と、脱臭フィルタを脱臭フィルタの周方向に回転させる駆動部と、脱臭フィルタが脱臭フィルタの周方向に回転可能となるように、脱臭フィルタの周面を支持する回転支持部と、筐体内における底面部側に脱臭フィルタの周面に対向して配置され、脱臭フィルタを加熱する加熱部と、加熱部に対して脱臭フィルタの回転方向における下流側でかつ、筐体内における底面部側に配置され、加熱部によって加熱された脱臭フィルタの熱を放熱するための放熱領域と、を備える。【選択図】図１
2017176379.tif 000002
【特許請求の範囲】
【請求項１】
筒状の脱臭フィルタと、
前記脱臭フィルタの内周側に配置され、前記脱臭フィルタを通過する気流を発生する遠心ファンと、
底面部と側面部と上面部とを有すると共に、前記側面部と前記上面部のうち少なくとも一方に開口を有し、前記底面部と前記側面部と前記上面部とで囲まれた空間内に前記脱臭フィルタを収容する筐体と、
前記脱臭フィルタを前記脱臭フィルタの周方向に回転させる駆動部と、
前記脱臭フィルタが前記脱臭フィルタの周方向に回転可能となるように、前記脱臭フィルタの周面を支持する回転支持部と、
前記筐体内における前記底面部側に前記脱臭フィルタの周面に対向して配置され、前記脱臭フィルタを加熱する加熱部と、
前記加熱部に対して前記脱臭フィルタの回転方向における下流側でかつ、前記筐体内における前記底面部側に配置され、前記加熱部によって加熱された前記脱臭フィルタの熱を放熱するための放熱領域と、
を備える、空気清浄機。
【請求項２】
前記加熱部及び前記放熱領域は、前記脱臭フィルタの軸方向から見た断面において、前記底面部が前記脱臭フィルタの周方向に延在する方向における両端と、前記脱臭フィルタの回転中心とをそれぞれ結ぶ２つの線分と、前記底面部とで囲まれた三角形領域内に配置された、
請求項１に記載の空気清浄機。
【請求項３】
前記加熱部は、前記三角形領域内の、前記脱臭フィルタの回転方向における上流側に配置された、
請求項２に記載の空気清浄機。
【請求項４】
前記加熱部は、前記筐体の前記底面部と、前記底面部が前記脱臭フィルタの周方向に延在する方向における一端に連続する側面部とがなす角部に近接して配置された、
請求項１〜３のいずれか１項に記載の空気清浄機。
【請求項５】
筒状の脱臭フィルタと、
前記脱臭フィルタの内周側に配置され、前記脱臭フィルタを通過する気流を発生する遠心ファンと、
前記脱臭フィルタ及び前記遠心ファンを収容する筐体と、
前記脱臭フィルタを前記脱臭フィルタの周方向に回転させる駆動部と、
前記脱臭フィルタが前記脱臭フィルタの周方向に回転可能となるように、前記脱臭フィルタの周面を支持する回転支持部と、
前記脱臭フィルタの周面に対向して配置され、前記脱臭フィルタを加熱する加熱部と、
を備え、
前記加熱部は、前記脱臭フィルタの周方向において、前記脱臭フィルタを第１温度で加熱する高温領域と、前記脱臭フィルタを前記第１温度よりも低い第２温度で加熱する低温領域と、を有し、前記高温領域が、前記低温領域よりも前記脱臭フィルタの回転方向における上流側に配置された、
空気清浄機。
【請求項６】
前記加熱部は、ヒータと、前記ヒータによって加熱される加熱部材と、を有し、前記ヒータが、前記加熱部材上を前記脱臭フィルタの回転方向に向かって蛇行して配置され、
前記ヒータの配置間隔は、前記高温領域よりも前記低温領域が広い、
請求項５に記載の空気清浄機。
【請求項７】
前記加熱部は、ヒータと、前記ヒータによって加熱される加熱部材と、を有し、
前記加熱部材は、前記脱臭フィルタの周方向に沿って延在し、前記ヒータが、前記加熱部材において、前記脱臭フィルタの回転方向における上流側のみに配置された、
請求項５に記載の空気清浄機。
【発明の詳細な説明】
【技術分野】
【０００１】
本発明は、空気清浄機に関する。
【背景技術】
【０００２】
空気清浄機としては、臭気成分の吸着に伴って低下した脱臭フィルタの吸着性能を再生するために、脱臭フィルタを加熱する加熱部を備えるものがある。
【０００３】
加熱部を備える空気清浄機としては、円筒状の脱臭フィルタと、脱臭フィルタをその中心軸を回転軸として周方向に回転させる駆動部と、脱臭フィルタの回転軸方向（以下、軸方向と称する。）における一端部を周方向に回転可能に支持する回転支持部と、を備える構成が知られている。空気清浄機は、脱臭フィルタの内周側から外周側へ空気を通過させることで、空気中の臭気成分を脱臭フィルタに吸着させる。
【先行技術文献】
【特許文献】
【０００４】
【特許文献１】特開平１１−２６７４４５号公報
【発明の概要】
【発明が解決しようとする課題】
【０００５】
上述した円筒状の脱臭フィルタを用いた空気清浄機では、加熱部によって脱臭フィルタを加熱したとき、高温になった脱臭フィルタから臭気（以下、加熱臭と称する。）が生じ、加熱臭が筐体の外部へ放出されるおそれがある。
【０００６】
本願は、上記に鑑みてなされたものであって、脱臭フィルタの加熱臭が筐体の外部へ放出されることを抑えることができる空気清浄機を提供することを目的とする。
【課題を解決するための手段】
【０００７】
本願の開示する空気清浄機の一態様は、筒状の脱臭フィルタと、前記脱臭フィルタの内周側に配置され、前記脱臭フィルタを通過する気流を発生する遠心ファンと、底面部と側面部と上面部とを有すると共に、前記側面部と前記上面部のうち少なくとも一方に開口を有し、前記底面部と前記側面部と前記上面部とで囲まれた空間内に前記脱臭フィルタを収容する筐体と、前記脱臭フィルタを周方向に回転させる駆動部と、前記脱臭フィルタが前記脱臭フィルタの周方向に回転可能となるように、前記脱臭フィルタの周面を支持する回転支持部と、前記筐体内における前記底面部側に前記脱臭フィルタの周面に対向して配置され、前記脱臭フィルタを加熱する加熱部と、前記加熱部に対して前記脱臭フィルタの回転方向における下流側でかつ、前記筐体内における前記底面部側に配置され、前記加熱部によって加熱された前記脱臭フィルタの熱を放熱するための放熱領域と、を備える。
【発明の効果】
【０００８】
本願の開示する空気清浄機の一態様によれば、脱臭フィルタの加熱臭が筐体の外部へ放出されることを抑えることができる。
【図面の簡単な説明】
【０００９】
【図１】図１は、実施例１の空気清浄機を正面部側から見た断面図である。
【図２】図２は、実施例１の空気清浄機を側面部側から見た断面図である。
【図３】図３は、実施例１の空気清浄機が有する脱臭フィルタを示す分解斜視図である。
【図４】図４は、実施例１の空気清浄機の駆動部を示す模式図である。
【図５】図５は、実施例１の空気清浄機の筐体内の三角形領域を説明するための模式図である。
【図６】図６は、実施例１の空気清浄機の加熱部を示す断面図である。
【図７】図７は、実施例１の空気清浄機の加熱部を示す図６のＢ−Ｂ断面図である。
【図８】図８は、実施例２の空気清浄機を正面部側から見た断面図である。
【図９】図９は、実施例３の空気清浄機を正面部側から見た断面図である。
【図１０】図１０は、実施例３の空気清浄機の加熱部のヒータの配置例を示す斜視図である。
【図１１】図１１は、実施例３の空気清浄機の加熱部のヒータの他の配置例を示す斜視図である。
【図１２】図１２は、実施例３の空気清浄機の加熱部のヒータの配置例を示す斜視図である。
【図１３】図１３は、実施例１〜３の空気清浄機が有する変形例の脱臭フィルタを示す分解斜視図である。
【発明を実施するための形態】
【００１０】
以下に、本願の開示する空気清浄機の実施例を図面に基づいて詳細に説明する。なお、以下の実施例によって、本願の開示する空気清浄機が限定されるものではない。
【実施例１】
【００１１】
（空気清浄機の構成）
図１は、実施例１の空気清浄機を正面部側から見た断面図である。図２は、実施例１の空気清浄機を側面部側から見た断面図である。
【００１２】
図１及び図２に示すように、実施例１の空気清浄機１は、内周面と外周面（以下、併せて周面）を有する筒状の脱臭フィルタとしての円筒状の脱臭フィルタ６と、脱臭フィルタ６を通過する気流を発生する遠心ファン７と、脱臭フィルタ６及び遠心ファン７を内部に収容する筐体８と、を備える。また、空気清浄機１は、脱臭フィルタ６を周方向に回転させる駆動部１１と、脱臭フィルタ６をその周方向に回転可能に支持する回転支持部１２と、脱臭フィルタ６を加熱する加熱部１３と、加熱部１３によって加熱された脱臭フィルタ６の熱を放熱するための放熱領域１６と、を備える。
【００１３】
図１以降において、実施例の空気清浄機１の正面の幅方向をＸ方向、空気清浄機１の奥行方向をＹ方向、空気清浄機１の高さ方向をＺ方向とする。
【００１４】
図３は、実施例１の空気清浄機１が有する脱臭フィルタ６を示す分解斜視図である。図３に示すように、脱臭フィルタ６は、円筒状のフィルタ部材６ａと、フィルタ部材６ａの外周面５ａを支持する円筒状の支持基体６ｂと、を有する。
【００１５】
脱臭フィルタ６のフィルタ部材６ａは、臭気成分を吸着する吸着剤と、吸着剤から脱離された臭気成分を酸化分解する触媒と、を含有している。脱臭フィルタ６として、吸着剤のみを有する脱臭フィルタが用いられてもよい。このような脱臭フィルタを用いる場合には、例えば、加熱部１３側に触媒が設けられる。
【００１６】
支持基体６ｂは、フィルタ部材６ａを支持する一対の環状の枠部６ｃと、一対の枠部６ｃを互いに連結する複数の連結部６ｄと、を有し、円筒状に形成されている。支持基体６ｂは、複数の連結部６ｄによって枠部６ｃの機械的強度が補強されており、支持基体６ｂの内周部に挿入されたフィルタ部材６ａを支持する。支持基体６ｂは、一対の枠部６ｃの間に、更に別の枠部が設けられてもよい。
【００１７】
図３及び図４に示すように、一対の枠部６ｃのうち一方の外周部６ｆには、周方向にわたってギア部１５が形成されている。脱臭フィルタ６は、ギア部１５を介して駆動部１１によって駆動される。また、一対の枠部６ｃそれぞれの外周面には、例えば、回転支持部１２が有する後述の複数のローラ２１によって支持される平滑面６ｅが周方向にわたって形成されている。脱臭フィルタ６は、平滑面６ｅを有することで、脱臭フィルタ６の回転動作の安定性を高めることが可能になる。
【００１８】
遠心ファン７は、図１及び図２に示すように、脱臭フィルタ６の内周側に配置されている。遠心ファン７は、ファンモータ７ａと、ファンモータ７ａの回転軸の外周側に設けられたファンブレード７ｂと、を有する。遠心ファン７は、例えば、ファンブレード７ｂの回転軸が、脱臭フィルタ６の中心軸と一致するように配置されている。遠心ファン７は、例えば、脱臭フィルタ６の内周側から外周側へ通過する気流を発生する。
【００１９】
筐体８は、図１及び図２に示すように、正方形状の正面部８ａ及び背面部８ｂを有する箱状に形成されている。筐体８は、例えば、床面や壁面等の設置面１０上に設置される底面部８ｃと、上面部８ｄと、側面部８ｅと、を有する。筐体８は、底面部８ｃと側面部８ｅと上面部８ｄとで囲まれた空間内に脱臭フィルタ６を収容する。筐体８は、例えば、脱臭フィルタ６及び遠心ファン７を各軸方向が正面部８ａ及び背面部８ｂにそれぞれ直交する向きに収容する。したがって、筐体８が水平面に平行な設置面１０上に設置された姿勢では、脱臭フィルタ６及び遠心ファン７の各回転軸が水平方向と平行になり、脱臭フィルタ６及び遠心ファン７の各回転軸が筐体８の前後方向（Ｙ方向）に向いている。また、筐体８内には、図２に示すように、底面部８ｃ、上面部８ｄ及び両側面部８ｅに、支持フレーム１７が固定されており、支持フレーム１７に遠心ファン７が取り付けられている。
【００２０】
図２に示すように、筐体８の正面部８ａには、空気を吸入するための複数の吸気口９ａが設けられている。また、筐体８の背面部８ｂ、上面部８ｄ、側面部８ｅのうち少なくとも一方には、開口が形成されている。例えば、開口は、空気を排出するための複数の排気口９ｂとなる。図２に示すように、筐体８内には、正面部８ａから取り込まれた空気中の塵埃を除去するフィルタ１８が設けられている。フィルタ１８は、正面部８ａと遠心ファン７との間に、正面部８ａに対向して配置されている。また、図２に示すように、上面部８ｄにおける正面部８ａ側には、空気清浄機１の各種の操作を行うための操作部１９が設けられている。
【００２１】
（駆動部の構成）
図４は、実施例１の空気清浄機１の駆動部１１を示す模式図である。駆動部１１は、図１に示すように、脱臭フィルタ６の外周側に隣接して、筐体８内における上面部８ｄと側面部８ｅとがなす角部に対向して配置されている。図４に示すように、駆動部１１は、駆動機構として、モータ１１ａと、モータ１１ａによって回転される駆動ギア１１ｂと、を有しており、駆動ギア１１ｂが、脱臭フィルタ６のギア部１５に噛み合わされている。脱臭フィルタ６のギア部１５は、図示しないが例えば、複数のギア列を介して、モータ１１ａによって駆動されてもよい。駆動部１１は、駆動ギア１１ｂによって脱臭フィルタ６を図４におけるＡ方向へ回転させる。
【００２２】
また、駆動ギア１１ｂは、平歯車に限定されるものではなく、例えば、かさ歯車、はすば歯車等の各種のギアを用いることで、駆動ギア１１ｂと、脱臭フィルタ６のギア部１５とが噛み合う形態を適宜変更し、脱臭フィルタ６の軸方向に対するモータ１１ａの回転軸方向が任意に設定されてよい。なお、駆動部１１の駆動ギア１１ｂの配置を限定するものではなく、必要に応じて、脱臭フィルタ６の内周側等の他の位置に駆動ギア１１ｂが配置されてもよい。
【００２３】
また、空気清浄機１は、駆動部１１及び加熱部１３を制御する制御部１４を備える。制御部１４は、底面部８ｃに配置されており、図示しない回路基板を有する。回路基板は、駆動部１１のモータ１１ａ、加熱部１３のヒータ２３、操作部１９等に接続されている。
【００２４】
（回転支持部の構成）
図１に示すように、回転支持部１２は、筐体８内における底面部８ｃ上（底面部８ｃ側）に配置されている。回転支持部１２は、図１及び図４に示すように、脱臭フィルタ６の外周面５ａを回転可能に支持する回転体としての複数のローラ２１を有する。ローラ２１は、例えば、樹脂や、金属やセラミックス等によって形成されており、図示しないが、回転軸を介して軸受け部材に支持されている。
【００２５】
脱臭フィルタ６の軸方向から見た断面（Ｘ−Ｚ平面）で、複数のローラ２１は、Ｘ方向における底面部８ｃの中央を挟んだ両側にそれぞれ配置されている。言い換えると、複数のローラ２１は、底面部８ｃに配置された加熱部１３に対して、脱臭フィルタ６の回転方向であるＡ方向の上流側及び下流側にそれぞれ配置されている。また、複数のローラ２１は、脱臭フィルタ６の軸方向（Ｙ方向）の両端部に位置する一対の枠部６ｃの平滑面６ｅにそれぞれ接して配置されている。したがって、脱臭フィルタ６の外周面５ａは、例えば、底面部８ｃに配置された４つのローラ２１によって支持されている。回転支持部１２では、ローラ２１の代わりにボールが用いられてもよい。
【００２６】
（加熱部の構成）
図５は、実施例１の空気清浄機１の筐体８内の三角形領域を説明するための模式図である。図６は、実施例１の空気清浄機１の加熱部１３を示す断面図である。図７は、実施例１の空気清浄機１の加熱部１３を示す図６のＢ−Ｂ断面図である。
【００２７】
加熱部１３は、図１及び図２に示すように、脱臭フィルタ６の外周面５ａの周方向における一部に対向しており、筐体８内における底面部８ｃ上（底面部８ｃ側）に配置されている。図５に示すように、加熱部１３は、脱臭フィルタ６の軸方向（Ｙ方向）から見た断面において、底面部８ｃが脱臭フィルタ６の周方向に延在するＸ方向における両端Ｃ１、Ｃ２と、脱臭フィルタ６の回転中心Ｃ３とをそれぞれ結ぶ２つの線分Ｃ１Ｃ３、Ｃ２Ｃ３と、底面部８ｃ（線分Ｃ１Ｃ２）とで囲まれた三角形領域Ｃ内に配置されている。実施例１における加熱部１３は、底面部８ｃの、Ｘ方向における中央に配置されている。
【００２８】
三角形領域Ｃは、設置面１０上に設置された底面部８ｃを通過する気流が無く、筐体８内における気流の流れが少ない領域になっている。このため、加熱部１３が三角形領域Ｃ内に配置されることで、加熱部１３が脱臭フィルタ６を加熱して高温になった脱臭フィルタ６に生じた加熱臭が、筐体８の排気口９ｂから外部へ放出されることが抑えられる。
【００２９】
図６及び図７に示すように、加熱部１３は、ヒータ２３と、ヒータ２３によって加熱される加熱部材としての加熱板２４と、を有する。また、加熱部１３は、ヒータ２３から加熱部１３の外部へ放出される熱を遮る断熱部材２５と、ヒータ２３、加熱板２４及び断熱部材２５を保持するホルダ部材２６と、を有する。
【００３０】
ヒータ２３は、脱臭フィルタ６の外周面５ａに沿って配置された加熱板２４の外周側の面上に設けられている。ヒータ２３は、例えば、加熱板２４の面内中央部に設けられてもよく、例えば、面内方向において蛇行して設けられてもよい。ヒータ２３としては、例えば、シーズヒータ、面状ヒータ等が用いられる。加熱板２４は、脱臭フィルタ６の外周面５ａの周方向に沿って湾曲されている。加熱板２４は、例えば、脱臭フィルタ６の全周の１／８程度の範囲にわたって設けられている。
【００３１】
このように加熱部１３は、加熱板２４が脱臭フィルタ６の周方向に沿って湾曲されることで、加熱板２４によって脱臭フィルタ６の外周面５ａを周方向に沿って均一に加熱することが可能になる。また、加熱板２４が脱臭フィルタ６の外周面５ａに対向して配置されたことで、すなわち、加熱板２４が脱臭フィルタ６の下方に位置することで、脱臭フィルタ６の加熱に伴って加熱部１３から上昇する気流によって、脱臭フィルタ６が効率的に加熱される。
【００３２】
ホルダ部材２６は、断面Ｕ字状に形成されており、脱臭フィルタ６が通過するための所定の間隔をあけて形成された一対の保持片２６ａを有する。脱臭フィルタ６の外周側に配置された保持片２６ａには、ヒータ２３及び加熱板２４が、断熱部材２５を介して保持されている。脱臭フィルタ６の内周側に配置された保持片２６ａには、断熱部材２５が保持されている。
【００３３】
また、加熱部１３は、脱臭フィルタ６の内周面５ｂを支持する回転体としての複数のガイドローラ２８を有する。ガイドローラ２８は、例えば、金属材やセラミックス等によって形成されており、回転軸（図示せず）を介して軸受け部材２９に支持されている。複数のガイドローラ２８は、脱臭フィルタ６の回転方向であるＡ方向の上流側及び下流側にそれぞれ配置されている。また、複数のガイドローラ２８は、脱臭フィルタ６の軸方向（Ｙ方向）の両端部に位置する一対の枠部６ｃにそれぞれ接して配置されており、例えば、４つのガイドローラ２８によって脱臭フィルタ６の内周面５ｂが支持されている。
【００３４】
加熱部１３は、各ガイドローラ２８によって脱臭フィルタ６の内周面５ｂを支持することで、加熱部１３内を通過する脱臭フィルタ６の径方向における相対位置が安定すると共に、脱臭フィルタ６が周方向にスムースに移動することが可能になる。また、脱臭フィルタ６の内周面５ｂを支持するガイドローラ２８と、脱臭フィルタ６の外周面５ａを支持するローラ２１とで、脱臭フィルタ６の径方向において脱臭フィルタ６を挟んで支持することが可能になる。このため、回転支持部１２が支持する脱臭フィルタ６の支持状態の安定性を高められる。
【００３５】
実施例１では、加熱部１３が脱臭フィルタ６の外周面５ａ側に配置され、ガイドローラ２８が脱臭フィルタ６の内周面５ｂ側に配置されたが、加熱部１３やガイドローラ２８は、脱臭フィルタ６の周面側に配置されていればよい。すなわち、必要に応じて、加熱部１３が脱臭フィルタ６の内周面５ｂ側に配置されてもよいし、ガイドローラ２８が脱臭フィルタ６の外周面５ａ側に配置されてもよい。また、加熱部１３が有する回転体としては、ガイドローラ２８に限定されるものではなく、例えばボールが用いられてもよい。
【００３６】
また、図示しないが、例えば脱臭フィルタ６が触媒を含有していない場合には、加熱部１３における加熱板２４に触媒部材が設けられてもよい。触媒部材によって、脱臭フィルタ６から脱離された臭気成分を酸化分解することができる。
【００３７】
放熱領域１６は、加熱部１３に対して脱臭フィルタ６の回転方向（Ａ方向）における下流側でかつ、筐体８内における底面部８ｃ側に配置されている。上述した加熱部１３と同様に、放熱領域１６は、脱臭フィルタ６の軸方向（Ｙ方向）から見た断面において、底面部８ｃが脱臭フィルタ６の周方向に延在するＸ方向における両端Ｃ１、Ｃ２と、脱臭フィルタ６の回転中心Ｃ３とをそれぞれ結ぶ２つの線分Ｃ１Ｃ３、Ｃ２Ｃ３と、底面部８ｃ（線分Ｃ１Ｃ２）とで囲まれた三角形領域Ｃ内に配置されている。
【００３８】
すなわち、実施例１における放熱領域１６は、三角形領域Ｃにおいて、加熱部１３を通過した脱臭フィルタ６が加熱されず、脱臭フィルタ６を通過する気流が少ない空間である。言い換えると、放熱領域１６は、加熱部１３によって加熱された脱臭フィルタ６が放熱し、脱臭フィルタ６の温度が下げられる空間に相当する。脱臭フィルタ６は、例えば、加熱部１３で１２０℃〜１３０℃程度まで加熱された後、三角形領域Ｃの外側へ移動するまでに放熱領域１６において１００℃以下まで温度が下げられることが好ましい。
【００３９】
放熱領域１６は、上述した加熱部１３と同様に、筐体８内での気流の流れが少ない三角形領域Ｃ内に配置されたことで、放熱領域１６を通過している間は、脱臭フィルタ６を通過する気流を少なくできるので、脱臭フィルタ６から生じる加熱臭が、筐体８の排気口９ｂから外部へ放出されることが抑えられる。
【００４０】
加えて、加熱部１３で加熱された脱臭フィルタ６が放熱領域１６で放熱して脱臭フィルタ６の温度が下げられるので、脱臭フィルタ６が三角形領域Ｃの外側へ移動して脱臭フィルタ６を通過する気流が増加しても脱臭フィルタ６から生じる加熱臭を抑えることができる。このため、脱臭フィルタ６の加熱臭が、筐体８の正面部８ａ、背面部８ｂ、上面部８ｄ及び側面部８ｅの排気口９ｂから筐体８の外部へ放出されることを抑えることができる。
【００４１】
（空気清浄機の動作）
空気清浄機１は、筐体８の正面部８ａから吸引された空気が、脱臭フィルタ６の内周側から外周側へ通過することで、その空気中の臭気成分が脱臭フィルタ６に吸着される。臭気成分が吸着された脱臭フィルタ６がＡ方向に回転されることに伴って、脱臭フィルタ６が加熱部１３を通過する。加熱部１３は、ヒータ２３が加熱する加熱板２４によって、脱臭フィルタ６を加熱することで、脱臭フィルタ６に吸着された臭気成分を脱離すると共に触媒によって臭気成分を酸化分解する。これにより、加熱部１３は、脱臭フィルタ６の吸着性能を再生する。
【００４２】
また、脱臭フィルタ６は、加熱部１３で例えば１２０℃〜１３０℃程度に加熱された後、放熱領域１６を通過することで、三角形領域Ｃの外側に移動するまでに脱臭フィルタ６の温度が例えば１００℃以下に下がる。このため、脱臭フィルタ６は、筐体８の排気口９ｂに流れる気流が生じている空間（三角形領域Ｃの外側）に移動したときに、加熱臭が生じにくい温度まで適正に下げられる。したがって、加熱臭が筐体８の外部へ放出されることが抑えられる。
【００４３】
また、空気清浄機１では、駆動部１１の駆動ギア１１ｂによって脱臭フィルタ６のギア部１５が回転されることで、回転支持部１２の各ローラ２１によって外周面５ａが支持された脱臭フィルタ６が周方向（Ａ方向）に沿って回転される。さらに、加熱部１３では、周方向に沿って回転される脱臭フィルタ６の内周面５ｂを各ガイドローラ２８が支持することで、脱臭フィルタ６の径方向の位置が規制され、脱臭フィルタ６が加熱部１３内をスムースに通過する。
【００４４】
実施例１における加熱部１３は、上述の加熱板２４によって、脱臭フィルタ６の全周の１／８程度の範囲を同時に加熱する。制御部１４は、例えば、脱臭フィルタ６の全周の１／８の範囲を１．５時間程度で加熱部１３を通過する速度で、脱臭フィルタ６を回転させるように駆動部１１を制御する。このため、本実施例における加熱部１３では、１２時間程度で脱臭フィルタ６の全周の加熱処理が完了する。制御部１４は、例えば、脱臭フィルタ６の全周を連続的に加熱する動作が完了した後、加熱動作を１２時間休止するように加熱部１３を制御してもよい。このように、空気清浄機１では、所定の動作サイクルで加熱部１３及び駆動部１１が動作を休止することで、消費電力を抑えることが可能になる。
【００４５】
（実施例１の効果）
上述したように、実施例１の空気清浄機１は、筐体８内における底面部８ｃ側に脱臭フィルタ６の周面に対向して配置された加熱部１３と、加熱部１３に対して脱臭フィルタ６の回転方向における下流側でかつ、筐体８内における底面部８ｃ側に配置された放熱領域１６と、を備える。これにより、載置面１０上に載置された底面部８ｃは、気流が通過しないので、このような底面部８ｃに、加熱部１３及び放熱領域１６を配置することで、加熱部１３で加熱された脱臭フィルタ６の加熱臭が、筐体８の排気口９ｂから外部へ放出されることを抑えることができる。
【００４６】
また、空気清浄機１における加熱部１３及び放熱領域１６は、脱臭フィルタ６の軸方向（Ｙ方向）から見た断面において三角形領域Ｃ内に配置される。加熱部１３及び放熱領域１６が、筐体８内において気流が少ない三角形領域Ｃ内に配置されたことで、加熱部１３が脱臭フィルタ６を通過する気流を妨げないうえ、加熱部１３で加熱された脱臭フィルタ６の加熱臭が、筐体８の排気口９ｂから外部へ放出されることを効果的に抑えることができる。
【００４７】
また、実施例１の空気清浄機１における脱臭フィルタ６は、フィルタ部材６ａと、フィルタ部材６ａを支持する円筒状の支持基体６ｂと、を有する。これにより、支持基体６ｂに対してフィルタ部材６ａが着脱可能となり、必要に応じて、フィルタ部材６ａを容易に交換することが可能になる。また、実施例１の空気清浄機１における脱臭フィルタ６は、支持基体６ｂの各枠部６ｃが連結部６ｄを介して連結されることで、脱臭フィルタ６を通過する気流を妨げることなく、支持基体６ｂの機械的強度を補強することができる。
【００４８】
以下、実施例２、３について図面を参照して説明する。実施例２、３において、実施例１と同一の構成部材には、実施例１と同一の符号を付して説明を省略する。
【実施例２】
【００４９】
図８は、実施例２の空気清浄機を正面部側から見た断面図である。実施例２の空気清浄機は、筐体８の底面部８ｃ側における加熱部１３及び放熱領域１６の配置、及び駆動部１１の駆動ギア１１ｂが脱臭フィルタ３０の内周側に配置された点が、実施例１と異なる。
【００５０】
図８に示すように、実施例２の空気清浄機２が有する加熱部１３は、筐体８内における底面部８ｃと側面部８ｅとがなす角部に配置されている。筐体８内の角部に配置された加熱部１３は、脱臭フィルタ３０の軸方向（Ｙ方向）から見た断面において、底面部８ｃが脱臭フィルタ３０の周方向に延在するＸ方向における両端Ｃ１、Ｃ２と、脱臭フィルタ３０の回転中心Ｃ３とをそれぞれ結ぶ２つの線分Ｃ１Ｃ３、Ｃ２Ｃ３と、底面部８ｃ（線分Ｃ１Ｃ２）とで囲まれた三角形領域Ｃ内に配置されている。
【００５１】
このように加熱部１３を筐体８内の角部に近い位置に配置することで、実施例２における放熱領域１６は、実施例１に比べて、脱臭フィルタ３０の回転方向に対して延ばされている。したがって、実施例２は、実施例１よりも、筐体８の底面部８ｃ側に配置された放熱領域１６となる放熱空間が大きく確保されており、例えば脱臭フィルタ６の回転速度が同じであれば、放熱領域１６を通過するまでの時間を長くすることができるので、脱臭フィルタ６の放熱性が高められる。
【００５２】
また、実施例２の空気清浄機２が有する脱臭フィルタ３０は、駆動部１１の駆動ギア１１ｂが噛み合うギア部３１が、脱臭フィルタ３０の内周に沿って形成されている。脱臭フィルタ３０は、内周の周方向に沿ってギア部３１が形成されている点が、上述の脱臭フィルタ６と異なっている。脱臭フィルタ３０の他の構成は上述の脱臭フィルタ６と同一である。
【００５３】
また、実施例２では、回転支持部１２は、筐体８内の底面部８ｃに設けられた複数のローラ２１と、筐体８内における上面部８ｄと側面部８ｅとの角部に配置された複数のローラ３２と、を有する。回転支持部１２は、必要に応じて、脱臭フィルタ３０の周方向におけるいずれの位置にローラが配置されてもよく、脱臭フィルタ３０の周方向における配置箇所の数、ローラの数を限定するものではない。
【００５４】
（実施例２の効果）
上述したように実施例２によれば、加熱部１３が、三角形領域Ｃ内の、脱臭フィルタ３０の回転方向における上流側に配置される。これにより、三角形領域Ｃ内において、脱臭フィルタ３０の回転方向に対して放熱領域１６が占める空間が増えるので、実施例１に比べて、脱臭フィルタ３０の放熱性を高めることができる。その結果、脱臭フィルタ３０が三角形領域Ｃの外側へ移動したときの脱臭フィルタ３０の温度を更に下げることが可能になり、脱臭フィルタ３０の加熱臭が筐体８の排気口９ｂから外部へ放出されることを更に抑えることができる。
【００５５】
また、実施例２における加熱部１３は、筐体８の底面部８ｃと、底面部８ｃの延在方向（Ｘ方向）における一端に連続する側面部８ｅとがなす角部に近い位置に配置される。これにより、加熱部１３を配置するスペースとして、筐体８内の角部の空間を有効利用し、空気清浄機２の小型化が可能になる。
【実施例３】
【００５６】
図９は、実施例３の空気清浄機を正面部８ａ側から見た断面図である。実施例３の空気清浄機は、筐体８の底面部８ｃ側に配置された加熱部の加熱範囲が広げられた点が、実施例１と異なる。
【００５７】
図９に示すように、実施例３の空気清浄機３が備える加熱部３３は、筐体８内における底面部８ｃ上に設けられており、脱臭フィルタ６の全周の１／４程度の範囲に対向して配置されている。実施例３においても、加熱部３３は、脱臭フィルタ６の軸方向（Ｙ方向）から見た断面において、底面部８ｃが脱臭フィルタ６の周方向に延在するＸ方向における両端Ｃ１、Ｃ２と、脱臭フィルタ６の回転中心Ｃ３とをそれぞれ結ぶ２つの線分Ｃ１Ｃ３、Ｃ２Ｃ３と、底面部８ｃ（線分Ｃ１Ｃ２）とで囲まれた三角形領域Ｃ内に配置されている。
【００５８】
加熱部３３は、脱臭フィルタ６の外周面５ａに沿って延ばされた加熱板３４を有しており、実施例１の加熱部１３に比べ、脱臭フィルタ６の周方向に対する加熱領域が増やされている。これにより、実施例３は、加熱部３３が脱臭フィルタ６の全周を加熱するために要する加熱時間を短縮することができる。
【００５９】
また、加熱部３３は、脱臭フィルタ６の周方向において、脱臭フィルタ６を第１温度で加熱する高温領域Ｈ１と、脱臭フィルタ６を第１温度よりも低い第２温度で加熱する低温領域Ｈ２と、を有する。加熱部３３において、高温領域Ｈ１が、低温領域Ｈ２よりも脱臭フィルタ６の回転方向（Ａ方向）における上流側に配置されている。高温領域Ｈ１及び低温領域Ｈ２は、脱臭フィルタ６の回転方向に沿って加熱板３４に設けられている。例えば、第１温度が１２０℃〜１３０℃程度に設定されており、第２温度が１１０℃程度に設定されている。
【００６０】
加熱部３３における低温領域Ｈ２は、上述した放熱領域１６と同様に、脱臭フィルタ６の温度を下げるための空間として機能する。脱臭フィルタ６は、高温領域Ｈ１から低温領域Ｈ２へ移動することで、温度が下がり、三角形領域Ｃの外側へ移動したときに１００℃以下まで下がる。このような高温領域Ｈ１と低温領域Ｈ２を加熱板３４に沿って形成する具体的な構成について説明する。
【００６１】
図１０は、実施例３の空気清浄機３の加熱部３３のヒータの配置例を示す斜視図である。図１１は、実施例３の空気清浄機３の加熱部３３のヒータの他の配置例を示す斜視図である。図１２は、実施例３の空気清浄機３の加熱部３３のヒータの配置例を示す斜視図である。
【００６２】
図１０に示すように、加熱板３４には、脱臭フィルタ６の外周面５ａに対向する内周面３４ｂの反対側の外周面３４ａ上に、ヒータ３５が脱臭フィルタ６の回転方向（Ａ方向）に向かって蛇行するように配置されている。脱臭フィルタ６の回転方向（Ａ方向）において、加熱板３４上に沿って蛇行するヒータ３５の配置ピッチである配置間隔を異ならせることで、加熱板３４に高温領域Ｈ１と低温領域Ｈ２が形成されている。ヒータ３５は、高温領域Ｈ１では、ヒータが配置間隔Ｐ１で配置されている。低温領域Ｈ２では、ヒータ３５が、配置間隔Ｐ１よりも広い配置間隔Ｐ２で配置されている。
【００６３】
したがって、加熱板３４上を脱臭フィルタ６の回転方向（Ａ方向）に向かって蛇行するヒータ３５の配置間隔Ｐ１、Ｐ２は、高温領域Ｈ１よりも低温領域Ｈ２が広いことで、脱臭フィルタ６を第１温度及び第２温度でそれぞれ加熱可能となっている。ヒータ３５としては、例えば、シーズヒータ、面状ヒータが用いられており、湾曲する加熱板３４上にヒータ３５が密着して設けられている。
【００６４】
また、図１１に示すように、加熱板３４には、脱臭フィルタ６の外周面５ａに対向する内周面３４ｂの反対側の外周面３４ａ上に、ヒータ３６が面内方向において蛇行して配置されている。ヒータ３６は、脱臭フィルタ６の回転方向（Ａ方向）に対して、蛇行しながら往復するように加熱板３４上に配置されている。ヒータ３６は、高温領域Ｈ１では、ヒータ３６が配置間隔Ｐ３で配置されている。低温領域Ｈ２では、ヒータ３６が、配置間隔Ｐ３よりも広い配置間隔Ｐ４で配置されている。ヒータ３６としては、例えば、加熱温度が異なる複数種類のシリコンラバーヒータを組み合わせて用いられており、湾曲する加熱板３４上にヒータ３６が密着して設けられている。
【００６５】
図１２に示すように、加熱板３４には、脱臭フィルタ６の外周面５ａに対向する内周面３４ｂの反対側の外周面３４ａ上において、脱臭フィルタ６の回転方向（Ａ方向）における上流側の所定範囲のみにヒータ３７が設けられている。ヒータ３７は、加熱板３４上を脱臭フィルタ６の回転方向（Ａ方向）と交差する方向に向かって蛇行して、加熱板３４上の一部のみに配置されている。したがって、加熱板３４には、脱臭フィルタ６の回転方向（Ａ方向）において、ヒータ３７によって加熱される高温領域Ｈ１と、ヒータ３７によって直接的に加熱されない（ヒータ３７の加熱量が相対的に低い）低温領域Ｈ２とが形成されている。加熱板３４は、低温領域Ｈ２においても、ヒータ３７から伝わった熱によって、高温領域Ｈ１での第１温度よりも低い第２温度で脱臭フィルタ６を加熱する。ヒータ３７としては、例えば、シリコンラバーヒータが用いており、湾曲する加熱板３４上にヒータ３７が密着して設けられている。
【００６６】
また、実施例３においても、回転支持部１２のローラ２１は、加熱部３３に対して脱臭フィルタ６の周方向における上流側と下流側とに配置されている。また、複数のローラ２１は、脱臭フィルタ６の軸方向（Ｙ方向）の両端部にそれぞれ配置されている。
【００６７】
（実施例３の効果）
上述したように実施例３は、高温領域Ｈ１及び低温領域Ｈ２を有する加熱部３３を備える。これにより、加熱部３３における低温領域Ｈ２が、実施例１、２における放熱領域１６と同様に作用する。実施例３においても、実施例１、２と同様に、加熱部３３が、筐体８内において気流が通過しない底面部８ｃ側に配置されたことで、加熱部３３が脱臭フィルタ６を通過する気流を妨げない。さらに、加熱部３３で生じた脱臭フィルタ６の加熱臭が、筐体８の排気口９ｂから外部へ放出されることを抑えることができる。
【００６８】
上述した実施例１〜３では、筐体８の底面部８ｃが設置面１０上に設置されたが、筐体８を配置する向きを限定するものではない。実施例１〜３における筐体８は、鉛直方向に立ち上がる壁面上に、筐体８の底面部８ｃが鉛直方向に沿って設置されてもよい。
【００６９】
（脱臭フィルタの変形例）
最後に、脱臭フィルタの変形例について説明する。上述した脱臭フィルタ６は、円筒状のフィルタ部材６ａが円筒状の支持基体６ｂの内周部に挿入されて構成されたが、この構成に限定されるものではない。図１３は、実施例１〜３の空気清浄機１〜３が有する変形例の脱臭フィルタを示す分解斜視図である。
【００７０】
図１３に示すように、脱臭フィルタ４１は、複数のフィルタ部材４１ａと、多角筒状の支持基体４１ｂと、を有する。支持基体４１ｂは、脱臭フィルタ４１の周方向に沿って配置された複数のフィルタ部材４１ａを支持する一対の環状の枠部４１ｃと、一対の枠部４１ｃを互いに連結する複数の連結部４１ｄと、を有する。支持基体４１ｂは、複数の連結部４１ｄによって枠部４１ｃの機械的強度が補強されている。
【００７１】
また、脱臭フィルタ４１の支持基体４１ｂの軸方向の一端部の外周部には、周方向にわたって環状のギア部４５が形成されている。脱臭フィルタ４１は、ギア部４５を介して駆動部１１によって駆動される。また、支持基体４１ｂの軸方向の両端部に位置する一対の枠部４１ｃの外周面には、例えば、回転支持部１２が有する複数のローラ２１によって支持される環状の平滑面４１ｅが周方向にわたって形成されている。脱臭フィルタ４１は、環状の平滑面４１ｅを有することで、脱臭フィルタ４１の回転動作の安定性が高められている。
【００７２】
フィルタ部材４１ａは、矩形状の板状に形成されており、複数のフィルタ部材４１ａが支持基体４１ｂの周方向に沿って配列されている。フィルタ部材４１ａは、例えば、支持基体４１ｂの内周部において一対の枠部４１ｃ及び各連結部４１ｄに跨って外周部が接着剤等によって固定されている。
【００７３】
変形例の脱臭フィルタ４１によれば、平板状の複数のフィルタ部材４１ａを用いて多角筒状の脱臭フィルタ４１を構成することが可能になり、必要に応じて、フィルタ部材４１ａを交換することが可能になる。
【符号の説明】
【００７４】
１  空気清浄機
６  脱臭フィルタ
６ａ  フィルタ部材
６ｂ  支持基体
６ｃ  枠部
６ｄ  連結部
７  遠心ファン
８  筐体
８ｃ  底面部
１０  設置面（床面、壁面）
１１  駆動部
１１ｂ  駆動ギア
１２  回転支持部
１３  加熱部
１４  制御部
１５  ギア部
１６  放熱領域
２３  ヒータ
２４  加熱板（加熱部材）
２６  ホルダ部材
２８  ガイドローラ
Ｃ  三角形領域
Ｃ１、Ｃ２  両端
Ｃ３  回転中心
Ｈ１  高温領域
Ｈ１  低温領域
Ｐ１、Ｐ２、Ｐ３、Ｐ４  配置間隔
【図１】
2017176379.tif 000003
【図２】
2017176379.tif 000004
【図３】
2017176379.tif 000005
【図４】
2017176379.tif 000006
【図５】
2017176379.tif 000007
【図６】
2017176379.tif 000008
【図７】
2017176379.tif 000009
【図８】
2017176379.tif 000010
【図９】
2017176379.tif 000011
【図１０】
2017176379.tif 000012
【図１１】
2017176379.tif 000013
【図１２】
2017176379.tif 000014
【図１３】
2017176379.tif 000015